(57)【要約】【課題】カメラケースとレンズケースを好適に兼用できる保護・収納ケースを提供すること。【解決手段】交換レンズをレンズケースで保護したままカメラを装着し、そのままカメラケースに変形し、また、カメラケースの状態からレンズ交換でカメラを外した場合、そのままレンズケースに変形することができる。【選択図】図１
2016127877.tif 000002
【特許請求の範囲】
【請求項１】
撮像装置の収納ケースであって、
前記撮像装置のレンズ部を収納する布袋状の胴部と、
前記胴部に連設され前記撮像装置のボディの上から覆う第１の蓋体片と、
前記胴部に連設され前記撮像装置のボディの下から覆う第２の蓋体片と、
前記第１の蓋体片に設けられた第１の留め具と
前記第２の蓋体片に設けられた第２の留め具と、
前記胴部の前記第１の蓋体片側の面に設けられた第３の留め具と、を有し、
前記撮像装置の収納状態から前記撮像装置のボディ背面で留められた前記第１の留め具と前記第２の留め具を外して、前記レンズを前記胴部に収納したままの状態で前記撮像装置から前記レンズを脱着したとき、前記第１の蓋体片を収縮させて、前記胴部に前記第２の蓋体片を折り合わせて前記第３の留め具と前記第２の留め具を留めることにより前記レンズの収納ケースに変形することを特徴とする撮像装置の収納ケース。
【請求項２】
前記第１の蓋体片の端部面が「く」の字形状に構成されることを特徴とする請求項１に記載の撮像装置の収納ケース。
【請求項３】
前記第１の蓋体片の収縮とは、布状部材で構成された前記第１の蓋体片を折り畳むことであることを特徴とする請求項１又は請求項２に記載の撮像装置の収納ケース。
【請求項４】
前記第１の蓋体片を収縮させたときに、内部にレンズキャップを収納できることを特徴とする請求項１乃至請求項３の何れか一項に記載の撮像装置の収納ケース。
【請求項５】
操作者が前記撮像装置を保持するグリップが露出するように前記第１の蓋体片と前記第２の蓋体片の形状が構成されることを特徴とする請求項１乃至請求項４の何れか一項に記載の撮像装置の収納ケース。
【請求項６】
前記第１の蓋体片と前記第２の蓋体片を、収納する前記撮像装置に対して左右対称に構成することを特徴とする請求項１乃至請求項５の何れか一項に記載の撮像装置の収納ケース。
【請求項７】
前記第１の蓋体片と前記第２の蓋体片を、衝撃吸収素材で構成することを特徴とする請求項１乃至請求項６の何れか一項に記載の撮像装置の収納ケース。
【請求項８】
前記布袋状の胴部の前記レンズに面する底部が耐衝撃強度を有することを特徴とする請求項１に記載の撮像装置の収納ケース。
【請求項９】
前記第１の留め具、前記第２の留め具、および前記第３の留め具が同一平面上に配置されることを特徴とする請求項１に記載の撮像装置の収納ケース。
【請求項１０】
撮像装置の交換レンズ用ケースであって、
レンズを収納する布袋状の胴部と、
前記胴部に連設され、前記胴部の端部から上に開口する第１の蓋体片と、
前記胴部に連設され、前記胴部の端部から下に開口する第２の蓋体片と、
前記第１の蓋体片に設けられた第１の留め具と、
前記第２の蓋体片に設けられた第２の留め具と、を有し、
前記撮像装置への前記レンズの装着のとき、前記胴部に前記レンズを収納したままの状態で、前記胴部の端部から上下に開口した前記第１の蓋体片または前記第２の蓋体片の少なくとも一方が展張し、
少なくとも一方が展張した前記第１の蓋体片と前記第２の蓋体片を前記胴部に前記レンズを収納したままの状態で前記撮像装置のボディの上下から回して覆い、
前記撮像装置のボディの上下から回して覆った前記第１の蓋体片の第１の留め具と前記第２の蓋体片の第２の留め具とを前記撮像装置のボディ背面で留めることにより前記撮像装置の収納ケースに変形することを特徴とする撮像装置の交換レンズ用ケース。
【発明の詳細な説明】
【技術分野】
【０００１】
本発明は、レンズ交換式のデジタルカメラ、その他のレンズ交換式の撮像装置および、その交換レンズを収納・保護するケースに関する。
【背景技術】
【０００２】
従来の、レンズ交換式のデジタルカメラの収納・保護ケース、キャリングケースとしては、デジタルカメラ全体を収納・保護してカメラを持ち運ぶようなものが知られている。また、デジタルカメラから取り外したレンズを収納・保護するケースが知られている。
【０００３】
風呂敷状の布部材などでデジタルカメラやレンズを収納・保護することもあるが、一般的なカメラケース、レンズケースはカメラやレンズの外観に合わせた形状をしており、見た目にも操作者が収納や取り出しを行いやすいようになっている。
【０００４】
特許文献１には、デジタルカメラを収納するカメラケースにおいて、外付けの、ストロボ、光学式ファインダー、電子ビューワーの装着に対応して保護外観形状が変更することが記載されている。
【先行技術文献】
【特許文献】
【０００５】
【特許文献１】特開２００８−２３７２８５号公報
【発明の概要】
【発明が解決しようとする課題】
【０００６】
レンズ交換式のデジタルカメラは、目的や被写体に応じてレンズを交換して撮影を楽しむのが１つの特徴であるが、例えば屋外で散策しながら撮影する場合、デジタルカメラをケース等に入れることなくむき出しの状態で持ち歩くのは、何かにぶつける等して損傷する可能性がある。それ故にケースやカバーを付けたりして持ち歩くのが一般的である。
【０００７】
また、交換用レンズも一緒に持ち歩くには、保護の面からレンズケースや、交換レンズを一緒に収納するバッグやキャリングケースが必要となり、荷物が増える問題がある。さらに、レンズ交換をする場合、レンズを取り落としたりする可能性もある。
【０００８】
本発明は、レンズ交換式のデジタルカメラまたは交換レンズを、身軽に携帯しながら撮影チャンスに応じて素早くカメラを取り出したり、レンズ交換したりしたいという要求と、カメラと交換用レンズの保護という要求とを両立させるのに好適なカメラケース／レンズケースを提供することを目的とする。
【課題を解決するための手段】
【０００９】
上記の目的を達成するために、本発明による撮像装置の収納ケースは以下の構成を備える。即ち、
撮像装置の収納ケースであって、
前記撮像装置のレンズ部を収納する布袋状の胴部と、
前記胴部に連設され前記撮像装置のボディの上から覆う第１の蓋体片と、
前記胴部に連設され前記撮像装置のボディの下から覆う第２の蓋体片と、
前記第１の蓋体片に設けられた第１の留め具と、
前記第２の蓋体片に設けられた第２の留め具と、
前記胴部の前記第１の蓋体片側の面に設けられた第３の留め具と、を有し、
前記撮像装置の収納状態から前記撮像装置のボディ背面で留められた前記第１の留め具と前記第２の留め具を外して、前記レンズを前記胴部に収納したままの状態で前記撮像装置から前記レンズを脱着したとき、前記第１の蓋体片を収縮させて、前記胴部に前記第２の蓋体片を折り合わせて前記第３の留め具と前記第２の留め具を留めることにより前記レンズの収納ケースに変形することを特徴とする。
【発明の効果】
【００１０】
本発明によれば、カメラケースとレンズケースを好適に兼用できる。また、交換レンズをレンズケースで保護したままカメラを装着し、そのままレンズケースをカメラケースに変形し、また、カメラケースの状態からレンズ交換でカメラを外し、そのままカメラケースをレンズケースに変形することができる。また、カメラグリップを把持したまま、ケースに収納されたレンズを装着し、または取り外すことができる。
【図面の簡単な説明】
【００１１】
【図１】実施形態のレンズケース／カメラケースの、カメラケースとしての適用時の斜視図である。
【図２】実施形態のレンズケース／カメラケースに収納するカメラの一例である。
【図３】実施形態のレンズケース／カメラケースの、カメラケースとしての適用時のカメラを右側面から見たときの図である。
【図４】実施形態のレンズケース／カメラケースの、カメラケースとしての適用時のカメラを上面から見たときの図である。
【図５】実施形態のレンズケース／カメラケースの、カメラケースとしての適用時のカメラを正面から見たときの図である。
【図６】実施形態のレンズケース／カメラケースの、カメラケースとしての適用時のカメラを背面から見たときの図である。
【図７】図３のカメラ収納時の状態から第１の蓋体片と第１の蓋体片の端部面を開いて、カメラ本体を露出させた状態を示す図である。
【図８】図７の状態から、交換レンズとカメラ本体を取り外した状態を示す図である。
【図９】実施形態のレンズケース／カメラケースのレンズケースとしての適用時であって、第１の蓋体片と第１の蓋体片の端部面、および第２の蓋体片と第２の蓋体片の端部面が開いて、交換レンズが露出した状態を示す図である。
【図１０】実施形態のレンズケース／カメラケースの交換レンズ収納時のレンズケースとしての適用時であって、図９から第１の蓋体片の端部面を閉じて、交換レンズの収納へと移行する途中の状態を示す図である。
【図１１】実施形態のレンズケース／カメラケースの交換レンズ収納時のレンズケースとしての適用時の斜視図である。
【図１２】操作者が実施形態のカメラケースにカメラを収納した状態でカメラのグリップを保持している状態を示す参考図である。
【図１３】実施形態のカメラケースにおいて、操作者がカメラの交換レンズを交換する操作を行っている状態を示す参考図である。
【発明を実施するための形態】
【００１２】
以下、本発明を実施するための最良の形態について、図面を参照して説明する。尚、説明文の符号について、特に断りがない限りは実施形態の共通または類似部分について共通の符号を付することで、重複説明を省略するものとする。
【００１３】
本実施形態に示すレンズケース／カメラケースは、交換レンズを収納するレンズケースとカメラを収納するカメラケースに適宜変形するケースである。図１は本実施形態のレンズケース／カメラケースのカメラ収納時のカメラケースとしての適用時の斜視図である。
【００１４】
図１において、１はカメラのレンズ部分を収納する底面部である。２はレンズの鏡筒部分を収納する円筒部である。３は円筒部２とシームレスに連接されその円筒部２より幅広に形成された第１の蓋体片である。同様に４は円筒部２とシームレスに連接されその円筒部２より幅広に形成された第２の蓋体片である。５は円筒部２上に設けられ、かつ第１の蓋体片３との連接する面の延長上に設けられた第１の留め具である。１１は円筒部２の内面側に設けられレンズ鏡筒部分を保護するための円筒状のレンズ保護部材である。レンズ保護部材１１は伸縮性のある例えばゴム織布のような素材で構成されている。１２はカメラ１３の交換レンズである。１３はレンズ交換式のデジタルカメラ本体である。
【００１５】
第１の留め具５は、後述するゴムひも８を留めるためのボタンであるが、同様の効果が得られる部材であれば良く、例えばフックのような部材であっても良い。また、ケースを構成する底面部１、円筒部２、第１の蓋体片３、第２の蓋体片４は、ケースの表面に表れる表地とケースの内面側の裏地（不図示）で構成され、表地の素材は布、人工皮革、皮革、不織布、軟質プラスティック、柔軟性を有する発泡ウレタンなどが好適である。また、表地に撥水加工等の加工が施されていてもよい。また表地の素材はある程度の衝撃を吸収するような多層構造（２層、３層など）であっても良い。これによりケースを誤って落としても、ある程度の衝撃から交換レンズ１２またはカメラ１３を保護することができる。
【００１６】
ケースの内面側の裏地（不図示）の素材は柔らかな布、不織布などを用いることができる。また、底面部１の内側には交換レンズ１２のレンズ面を保護する衝撃緩衝部材（不図示）が貼られていて、誤って落としてもある程度の衝撃を吸収できる。
【００１７】
図１のカメラケースとしての適用時には、底面部１、円筒部２、レンズ保護部材１１の内面にカメラ１３の交換レンズ１２を保護・保持し、第１の蓋体片３と第２の蓋体片４でカメラ１３の本体部分を上下から包むようにして、カメラ１３の後述する背面側で留めてカメラを保護・保持する。図が示すように第１の蓋体片３はカメラ１３本体部分の上部から、第２の蓋体片４はカメラ１３本体の下部から包む。
【００１８】
またカメラケースとして適用時には、図１が示すように操作者が保持するカメラ１３の両サイドが露出する。本図では、カメラ１３の左側面（操作者が右手で持つ、所謂グリップを有する右側面の逆サイド）が図示されている。グリップおよびカメラの両サイドは、別の図で示す。また、第１の蓋体片３と第２の蓋体片４のそれぞれをカメラ１３の形状に関わらず左右対称の形状とすることで低コストで廉価なケースとすることができる。
【００１９】
本実施形態のレンズケース／カメラケースに利用されるカメラ１３は、図で例示しているのは所謂レンズ交換式のデジタル一眼レフカメラであるが、ケースとサイズの合うレンズ交換式の撮像装置であればなんでも良く、レンズ交換式のミラーレス・デジタルカメラ、レンズ交換式のビデオカメラなどにも適用できる。また、大小異なるケースサイズを提供することで、より小型または大型のレンズ交換式の撮像装置にも適用可能である。
【００２０】
図２は本実施形態のレンズケース／カメラケースに収納するカメラ１３の一例である。この図ではデジタル一眼レフカメラを例として挙げている。交換レンズ、本体、グリップを具え、本体背面には、液晶画面、ハード的なボタン、ダイヤル、十字キーなどの操作部が配置されている。一般的なデジタル一眼レフカメラであるので詳細な説明は省略する。
【００２１】
図３は本実施形態のレンズケース／カメラケースのカメラケースとしての適用時のカメラを右側面から見たときの図である。図３では操作者が右手でカメラ１３を持つときに把持するグリップを有する側の側面が示されている。底面部１、円筒部２、第１の蓋体片３、第２の蓋体片４、第１の留め具５、レンズ保護部材１１、カメラ１３の説明は図１〜図２と同様であるので差分を説明する。
【００２２】
９は第１の蓋体片の端部面である。第１の蓋体片の端部面９は、カメラ１３の本体上部から丁度背面に変わる角で「く」の字に折れ、カメラ１３本体上部で多少の引っ掛かりをもつ構成となっている。６は第１の蓋体片の端部面９上に設けられた第３の留め具である。１０は第２の蓋体片の端部面である。第２の蓋体片の端部面１０は、カメラ１３の本体の下部で第２の蓋体片４を折ることで形成される面である。７は第２の蓋体片の端部面１０に設けられた第２の留め具である。尚、第２の留め具７と第３の留め具６は、後述するゴムひも８を留めるためのボタンであり、同様の効果が得られる部材であれば良く、例えばフックのような部材であっても良い。
【００２３】
第１の蓋体片の端部面９と第２の蓋体片の端部面１０はカメラ１３の本体背面で重ね合せられ、後述するゴムひも８を利用して第２の留め具７と第３の留め具６を固定することによりカメラ１３をケース内に収納する。尚、第１の蓋体片の端部面９が、カメラ１３の本体上部から丁度背面に変わる角で「く」の字に折れ、カメラ１３本体上部で多少の引っ掛かりをもつ構成により、第２の留め具７と第３の留め具６とで固定されてない状態で、誤ってカメラ１３本体がケースから飛び出さないようにすることができる。
【００２４】
また、第２の蓋体片の端部面１０が、カメラ１３の本体の下部で第２の蓋体片４を折ることで形成される面であるが、折り位置は可変でありカメラ１３の大小をある程度この折り位置で吸収できる構成となっている。蓋体片の収縮とは、第１の蓋体片の端部面９をカメラ１３の本体上部から丁度背面に変わる角で「く」の字部分で折り畳むこと、あるいは第２の蓋体片４をカメラ１３本体の下部で折って第２の蓋体片の端部面端部面１０を形成することを指している。蓋体片の収縮によりカメラケースからレンズケースへ変形することができる。第１の蓋体片の端部面９、第２の蓋体片の端部面１０、第２の留め具７、第３の留め具６については後述の図６でも詳細に説明する。
【００２５】
図４は本実施形態のレンズケース／カメラケースのカメラ収納時のカメラケースとしての適用時のカメラを上から見たときの図である。底面部１、円筒部２、第１の蓋体片３、第１の留め具５、第３の留め具６、第１の蓋体片の端部面９、カメラ１３の説明は図１〜図３と同様であるので差分を説明する。図４はカメラケースにカメラ１３を収納して上部から見た図であるが、円柱状の交換レンズ１２と横に幅のあるカメラ１３をケースに収納しているため、円錐台の形状をしている。図４では、カメラの両サイドが露出し、図１では不図示であった右手でカメラ１３を保持するグリップ・サイドも図示されている。
【００２６】
本実施形態のカメラケースは、操作者が保持するカメラ１３の両サイドが露出する構成になっており、操作者がカメラ１３の本体を保持した安定した状態で、カメラケースを取り外して素早く撮影状態に移行したり、後述するレンズ交換操作に移行したりできる。カメラ１３の両サイドから出ているひもはネックストラップ１４である。ネックストラップ１４は、操作者がカメラ１３を首から吊るして携帯するのに利用する。ゴムひも８は第３の留め具６と図４では不図示の第２の留め具７を固定する。また、円筒部２上に配置される第１の留め具５と第１の蓋体片の端部面９上に配置される第３の留め具６は、図から分かるように各留め具はカメラケースの左右方向に対して略中央に配置される構成となっている。この理由については後述する。
【００２７】
図５は本実施形態のレンズケース／カメラケースのカメラ収納時のカメラケースとしての適用時のカメラを正面から見たときの図である。底面部１、円筒部２、第１の蓋体片３、第２の蓋体片４、第１の留め具５、カメラ１３の説明は図１〜図４と同様である。図５ではカメラ１３の両サイドが露出し、図５で向かって左側が、操作者が右手でカメラを保持するとき把持する所謂グリップを有するサイドである。
【００２８】
図６は本実施形態のレンズケース／カメラケースのカメラ収納時のカメラケースとしての適用時のカメラを背面から見たときの図である。第３の留め具６、第２の留め具７、ゴムひも８、第１の蓋体片の端部面９、第２の蓋体片の端部面１０、カメラ１３、ネックストラップ１４の説明は図１〜図５と同様であるので差分を説明する。
【００２９】
カメラ１３の背面部（不図示）は液晶画面、ハード的なボタン、ダイヤル、十字キーなどの操作部が配置されている（図２参照）。第１の蓋体片の端部面９は、カメラ１３の本体上部から丁度背面に変わる角で「く」の字に折れる構成（図３の説明参照）になっていて、カメラ１３の背面上部にフィットする平面を構成する。第２の蓋体片の端部面１０は、カメラ１３の本体の下部で第２の蓋体片４を折ることでカメラ１３の背面下部に形成される平面である。
【００３０】
第１の蓋体片の端部面９と第２の蓋体片の端部面１０は重ねあわせられてカメラ１３の背面部を覆い、保護する構成になっている。そして、第３の留め具６と第２の留め具７をゴムひも８で留めて第１の蓋体片の端部面９と第２の蓋体片の端部面１０の重ねあわせられた面を固定する。第１の蓋体片の端部面９と第２の蓋体片の端部面１０は重ねあわせられてカメラ１３の背面部の液晶画面、ハード的なボタン、ダイヤル、十字キーなどの操作部を覆って保護するが、操作者がカメラを掴んで保持するカメラ１３の両サイドの部分は露出する構成になっている。これは前述した通り操作者がカメラ１３を保持したまま素早く撮影状態に移行したり、レンズ交換したりできるようにするためである。また、第１の蓋体片の端部面９上に配置される第３の留め具６と、第２の蓋体片の端部面１０上に配置される第２の留め具７は、ゴムひも８で留める構成であり、各留め具はカメラケースの左右方向に対して略中央に配置される構成となっている。この理由については後述する。
【００３１】
図７は図３のカメラ収納時の状態から第１の蓋体片３と第１の蓋体片９の端部面を開いて、カメラ１３本体が露出した状態を示す図である。円筒部２、第１の蓋体片３、第２の蓋体片４、第１の蓋体片の端部面９、第２の蓋体片の端部面１０、レンズ保護部材１１、カメラ１３の説明は図１〜図６と同様であるので差分を説明する。
【００３２】
図７はカメラ１３をケースに収納する過程、またはカメラ１３の交換レンズ１２の交換に移行する過程に出現する状態である。レンズ保護部材１１は交換レンズ１１の鏡筒部分までを保護しているのが分かる。また、図７では第１の蓋体片３、第２の蓋体片４、第１の蓋体片の端部面９、第２の蓋体片の端部面１０のカメラ１３や交換レンズ１２に接する所謂ケース内面側の裏地が露出している。この裏地の素材は前述したように柔らかな布、不織布などである。
【００３３】
図８は図７の状態から、交換レンズ１２とカメラ１３本体を取り外した状態を示す図である。底面部１、円筒部２、第１の蓋体片３、第２の蓋体片４、第１の蓋体片の端部面９、第２の蓋体片の端部面１０、レンズ保護部材１１、交換レンズ１２、カメラ１３の説明は図１〜図７と同様であるので差分を説明する。
【００３４】
図８の状態はカメラ１３の交換レンズ１３を交換する場合に出現する状態である。この状態からは、交換レンズ１２をレンズケース収納に移行する、または、交換レンズ１２をカメラ１３への装着に移行する。
【００３５】
図９は本実施形態のレンズケース／カメラケースの交換レンズ収納時のレンズケースとしての適用時であって、第１の蓋体片３と第１の蓋体片の端部面９、および第２の蓋体片４と第２の蓋体片の端部面１０が開いて、交換レンズ１２が露出した状態を示す図である。底面部１、円筒部２、第１の蓋体片３、第２の蓋体片４、第１の蓋体片の端部面９、第２の蓋体片の端部面１０、レンズ保護部材１１、交換レンズ１２の説明は図１〜図８と同様であるので差分を説明する。
【００３６】
図９では、交換レンズ１２のカメラ１３本体と取り付けるアタッチメント側のダストキャップが付いている。図９の状態からは、交換レンズ１２の収納に移行する、または交換レンズ１２をカメラ１３への装着に移行する。
【００３７】
図１０は本実施形態のレンズケース／カメラケースの交換レンズ収納時のレンズケースとしての適用時であって、図９から第１の蓋体片３と第１の蓋体片の端部面９を閉じて、交換レンズ１２の収納へと移行する途中の状態を示す図である。底面部１、円筒部２、第１の蓋体片３、第２の蓋体片４、第１の留め具５、第３の留め具６、第１の蓋体片の端部面９、第２の蓋体片の端部面１０、レンズ保護部材１１、交換レンズ１２、カメラ１３の説明は図１〜図９と同様であるので差分を説明する。
【００３８】
カメラ１３収納時には外側に面していた第１の蓋体片の端部面９の表地を、交換レンズ１２に接するように、第１の蓋体片の端部面９の「く」の字に折れる部分を第１の蓋体片３に接するように折り畳んで、交換レンズ１２のダストキャップを覆うようにして保護する。また、第１の蓋体片の端部面９と第１の蓋体片３とを折り畳んだ内側にレンズキャップ／ダストキャップを収納するようにしてもよい。これによりレンズキャップ等をケース内に収納することができる。
【００３９】
図１１は本実施形態のレンズケース／カメラケースの交換レンズ収納時のレンズケースとしての適用時の斜視図である。底面部１、円筒部２、第１の蓋体片３、第２の蓋体片４、第１の留め具５、第２の留め具７、ゴムひも８、第２の蓋体片の端部面１０、交換レンズ１２の説明は図１〜図１０と同様であるので差分を説明する。
【００４０】
図１１は図１０から、第２の蓋体片４と第２の蓋体片の端部面１０を第１の蓋体片の端部面の第１の蓋体片３に折り畳んだ部分を被せるようにして覆う。このとき、第１の蓋体片３と折り畳んだ第１の蓋体片の端部面９とで内蓋を形成し、第２の蓋体片４と第２の蓋体片の端部面１０とで外蓋を形成する。そして、第１の留め具５と第２の留め具７をゴムひも８で留めて、交換レンズ１２を収納した状態になる。また、第１の留め具５と第２の留め具７はゴムひも８で留める構成であり、各留め具はレンズケースの左右方向に対して略中央に配置される構成となっている。
【００４１】
尚、図４で、円筒部２上に配置される第１の留め具５と第１の蓋体片の端部面９上に配置される第３の留め具６の２点で構成される直線１５（点線で示す）。そして、図６で、第１の蓋体片の端部面９上に配置される第３の留め具６と、第２の蓋体片の端部面１０上に配置される第２の留め具７の２点で構成される直線１６（点線で示す）。以上の直線１５と直線１６の二直線の構成と図３を見れば明らかなように、第１の留め具５と第３の留め具６と第２の留め具７は略同一平面上に配置される構成であることが分かる。よって、円筒部２上に配置される第１の留め具５と第２の蓋体片の端面部１０上に配置される第２の留め具７の２点で構成される直線１７（点線で示す）もこの平面に含まれる直線である（図３、図１１参照）。
【００４２】
第１の蓋体片の端部面９上に配置される第３の留め具６と、第２の蓋体片の端部面１０上に配置される第２の留め具７との配置は、図６を参照すれば分かる様に、本実施形態のレンズケース／カメラケースをカメラケースとして適用したときに、カメラ１３を第１の蓋体片３、第２の蓋体片４、第１の蓋体片の端部面９および、第２の蓋体片の端部面１０とで、しっかり保護・固定した状態で、第１の蓋体片の端部面９と第２の蓋体片の端部面１０とを固定するのに適した配置である。
【００４３】
また、円筒部２上に配置される第１の留め具５と第２の蓋体片の端部面１０上に配置される第２の留め具７との配置は、図１１を参照すれば分かる様に、本発明をレンズケースとして適用したときに、交換レンズを底面部１と円筒部２との内側にしっかり保護・固定した状態で、円筒部２と外蓋を形成する第２の蓋体片４と第２の蓋体片の端部面１０を固定するのに適した配置でもある。よって、図３を見れば明らかなように、第３の留め具６の位置と第２の留め具７の位置の２点で構成される直線１６と、第１の留め具５の位置と第２の留め具６の位置の２点で構成される直線１５との二直線は第３の留め具６で交差するので第１の留め具５と第３の留め具６と第２の留め具７は略同一平面上に配置されることになる。この配置によりカメラケースとレンズケースとを適宜変形可能に最適な構成を提供できる。
【００４４】
図１２と図１３は本実施形態のレンズケース／カメラケースのカメラ収納時のカメラケースとして適用時であって、実際に操作者がカメラケースを取り扱っている状態を示す参考図である。図１２は本実施形態のカメラケースがカメラ１３の両サイドが露出する構成になっていて、カメラ１３本体がケースで保護された状態のまま操作者がカメラ１３のグリップを安定した状態で保持しているのを示している。図１３は本実施形態のカメラケースにおいて、操作者がカメラ１３の交換レンズ１２を交換する操作を行っている状態を示している。
【００４５】
本実施形態によれば、カメラケースとレンズケースとを適宜変形可能なケースを提供可能となる。
【符号の説明】
【００４６】
１  底面部、２  円筒部、３  第１の蓋体片、４  第２の蓋体片、５  第１の留め具、
１１  レンズ保護部材、１２  交換レンズ、１３  デジタルカメラ本体
【図１】
2016127877.tif 000003
【図２】
2016127877.tif 000004
【図３】
2016127877.tif 000005
【図４】
2016127877.tif 000006
【図５】
2016127877.tif 000007
【図６】
2016127877.tif 000008
【図７】
2016127877.tif 000009
【図８】
2016127877.tif 000010
【図９】
2016127877.tif 000011
【図１０】
2016127877.tif 000012
【図１１】
2016127877.tif 000013
【図１２】
2016127877.tif 000014
【図１３】
2016127877.tif 000015